【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
複数の装置側端子を有する印刷装置に所定の挿入方向に挿入されることによって脱着可能に装着される印刷材収容体であって、
第１のデバイスと、
前記第１のデバイスよりも高い電圧が印加される高電圧回路と、
複数の第１の端子と、第２の端子とを含む端子群と、
を備え、
前記複数の第１の端子は、前記第１のデバイスに接続されると共に、前記複数の装置側端子のうちの対応する端子と接触するべき第１の接触部をそれぞれ含み、
前記第２の端子は、前記高電圧回路に接続されると共に、前記複数の装置側端子のうちの対応する端子と接触するべき第２の接触部を含み、
前記第２の接触部と、前記複数の第１の接触部の一部は、第１の列を形成するように配置され、
前記複数の第１の接触部の他の一部は、第２の列を形成するように配置され、
前記第１の列は、前記第２の列より長く、前記挿入方向側に配置され、
前記第２の接触部は、前記第１の列の端に配置されている、印刷材収容体。
【請求項２】
請求項１に記載の印刷材収容体であって、
前記第１の列を形成するように配置されている各前記第１の接触部と、前記第２の列を形成するように配置されている各前記第１の接触部は、前記挿入方向に並ばないように互い違いに配置されている印刷材収容体。
【請求項３】
請求項１または請求項２に記載の印刷材収容体において、
前記端子群は、２つの前記第２の端子を含み、
前記第２の端子の前記第２の接触部は、前記第１の列の両端にそれぞれ配置されている、印刷材収容体。
【請求項４】
請求項１ないし請求項３のいずれかに記載の印刷材収容体であって、
前記第１の列を形成する前記第１の接触部の数は、前記第２の列を形成する前記第１の接触部の数より多い、印刷材収容体。
【請求項５】
複数の装置側端子を有する印刷装置に所定の挿入方向に挿入されることによって脱着可能に装着される印刷材収容体であって、
第１のデバイスと、
前記第１のデバイスよりも高い電圧が印加される高電圧回路と、
複数の第１の端子と、少なくとも１つの第２の端子とを含む端子群と、
を備え、
前記複数の第１の端子は、前記第１のデバイスに接続されると共に、前記複数の装置側端子のうちの対応する端子と接触するべき第１の接触部をそれぞれ含み、
前記少なくとも１つの第２の端子は、前記高電圧回路に接続されると共に、前記複数の装置側端子のうちの対応する端子と接触するべき第２の接触部を含み、
前記第１の接触部および前記第２の接触部は、複数列を形成し、前記挿入方向に並ばないように互い違いに配置され、
前記第２の接触部は、前記複数列のうち挿入方向側の第１の列の端に配置される、印刷材収容体。
【請求項６】
請求項５に記載の印刷材収容体であって、
前記端子群は、２つの前記第２の端子を含み、前記第２の端子の前記第２の接触部は、前記第１の列の両端に配置されている、印刷材収容体。
【請求項７】
複数の装置側端子を有する印刷装置に所定の挿入方向に挿入されることによって、前記複数の装置側端子に接続可能な基板であって、
第１のデバイスと、
前記第１のデバイスよりも高い電圧が印加される高電圧回路と、
複数の第１の端子と、第２の端子とを含む端子群と、
を備え、
前記複数の第１の端子は、前記第１のデバイスに接続されると共に、前記複数の装置側端子のうちの対応する端子と接触するべき第１の接触部をそれぞれ含み、
前記第２の端子は、前記高電圧回路に接続されると共に、前記複数の装置側端子のうちの対応する端子と接触するべき第２の接触部を含み、
前記第２の接触部と、前記複数の第１の接触部の一部は、第１の列を形成するように配置され、
前記複数の第１の接触部の他の一部は、第２の列を形成するように配置され、
前記第１の列は、前記第２の列より長く、前記挿入方向側に配置され、
前記第２の接触部は、前記第１の列の端に配置されている、基板。
【請求項８】
請求項７に記載の基板であって、
前記第１の列を形成するように配置されている各前記第１の接触部と、前記第２の列を形成するように配置されている各前記第１の接触部は、前記挿入方向に並ばないように互い違いに配置されている、基板。
【請求項９】
請求項７または請求項８に記載の基板において、
前記端子群は、２つの前記第２の端子を含み、
前記第２の端子の前記第２の接触部は、前記第１の列の両端にそれぞれ配置されている、基板。
【請求項１０】
請求項７ないし請求項９のいずれかに記載の基板であって、
前記第１の列を形成する前記第１の接触部の数は、前記第２の列を形成する前記第１の接触部の数より多い、基板。
【請求項１１】
複数の装置側端子を有する印刷装置に所定の挿入方向に挿入されることによって、前記複数の装置側端子に接続可能な基板であって、
第１のデバイスと、
前記第１のデバイスよりも高い電圧が印加される高電圧回路と、
複数の第１の端子と、少なくとも１つの第２の端子とを含む端子群と、
を備え、
前記複数の第１の端子は、前記第１のデバイスに接続されると共に、前記複数の装置側端子のうちの対応する端子と接触するべき第１の接触部をそれぞれ含み、
前記少なくとも１つの第２の端子は、前記高電圧回路に接続されると共に、前記複数の装置側端子のうちの対応する端子と接触するべき第２の接触部を含み、
前記第１の接触部および前記第２の接触部は、複数列を形成し、前記挿入方向に並ばないように互い違いに配置され、
前記第２の接触部は、前記複数列のうち挿入方向側の第１の列の端に配置される、基板。
【請求項１２】
請求項１１に記載の基板であって、
前記端子群は、２つの前記第２の端子を含み、前記第２の端子の前記第２の接触部は、前記第１の列の両端に配置されている、基板。
【請求項１３】
請求項７ないし請求項１２のいずれかに記載の基板を備えた印刷材収容体。
【請求項１４】
複数の装置側端子を有する印刷装置に所定の挿入方向に挿入されることによって脱着可能に装着される印刷材収容体であって、
記憶装置と、
前記記憶装置よりも高い電圧が印加される高電圧回路と、
複数の第１の端子と、第２の端子とを含む端子群と、
を備え、
前記複数の第１の端子は、前記記憶装置に接続されると共に、前記複数の装置側端子のうちの対応する端子と接触するべき第１の接触部をそれぞれ含み、
前記第２の端子は、前記高電圧回路に接続されると共に、前記複数の装置側端子のうちの対応する端子と接触するべき第２の接触部を含み、
前記第２の接触部と、前記複数の第１の接触部の一部は、第１の列を形成するように配置され、
前記複数の第１の接触部の他の一部は、第２の列を形成するように配置され、
前記第１の列は、前記第２の列より長く、前記挿入方向側に配置され、
前記第２の接触部は、前記第１の列の端に配置されている、印刷材収容体。
【請求項１５】
請求項１４に記載の印刷材収容体であって、
前記第１の列を形成するように配置されている各前記第１の接触部と、前記第２の列を形成するように配置されている各前記第１の接触部は、前記挿入方向に並ばないように互い違いに配置される印刷材収容体。
【請求項１６】
請求項１４または請求項１５に記載の印刷材収容体において、
前記端子群は、２つの前記第２の端子を含み、
前記第２の端子の前記第２の接触部は、前記第１の列の両端にそれぞれ配置されている、印刷材収容体。
【請求項１７】
請求項１４ないし請求項１６のいずれかに記載の印刷材収容体であって、
前記第１の列を形成する前記第１の接触部の数は、前記第２の列を形成する前記第１の接触部の数より多い、印刷材収容体。
【請求項１８】
複数の装置側端子を有する印刷装置に所定の挿入方向に挿入されることによって脱着可能に装着される印刷材収容体であって、
記憶装置と、
前記記憶装置よりも高い電圧が印加される高電圧回路と、
複数の第１の端子と、少なくとも１つの第２の端子とを含む端子群と、
を備え、
前記複数の第１の端子は、前記記憶装置に接続されると共に、前記複数の装置側端子のうちの対応する端子と接触するべき第１の接触部をそれぞれ含み、
前記少なくとも１つの第２の端子は、前記高電圧回路に接続されると共に、前記複数の装置側端子のうちの対応する端子と接触するべき第２の接触部を含み、
前記第１の接触部および前記第２の接触部は、複数列を形成し、前記挿入方向に並ばないように互い違いに配置され、
前記第２の接触部は、前記複数列のうち挿入方向側の第１の列の端に配置される、印刷材収容体。
【請求項１９】
請求項１８に記載の印刷材収容体であって、
前記端子群は、２つの前記第２の端子を含み、前記第２の端子の前記第２の接触部は、前記第１の列の両端に配置されている、印刷材収容体。
【請求項２０】
複数の装置側端子を有する印刷装置に所定の挿入方向に挿入されることによって、前記複数の装置側端子に接続可能な基板であって、
記憶装置と、
前記記憶装置よりも高い電圧が印加される高電圧回路と、
複数の第１の端子と、第２の端子とを含む端子群と、
を備え、
前記複数の第１の端子は、前記記憶装置に接続されると共に、前記複数の装置側端子のうちの対応する端子と接触するべき第１の接触部をそれぞれ含み、
前記第２の端子は、前記高電圧回路に接続されると共に、前記複数の装置側端子のうちの対応する端子と接触するべき第２の接触部を含み、
前記第２の接触部と、前記複数の第１の接触部の一部は、第１の列を形成するように配置され、
前記複数の第１の接触部の他の一部は、第２の列を形成するように配置され、
前記第１の列は、前記第２の列より長く、前記挿入方向側に配置され、
前記第２の接触部は、前記第１の列の端に配置されている、基板。
【請求項２１】
請求項２０に記載の基板であって、
前記第１の列を形成するように配置されている各前記第１の接触部と、前記第２の列を形成するように配置されている各前記第１の接触部は、前記挿入方向に並ばないように互い違いに配置される基板。
【請求項２２】
請求項２０または請求項２１に記載の基板において、
前記端子群は、２つの前記第２の端子を含み、
前記第２の端子の前記第２の接触部は、前記第１の列の両端にそれぞれ配置されている、基板。
【請求項２３】
請求項２０ないし請求項２２のいずれかに記載の基板であって、
前記第１の列を形成する前記第１の接触部の数は、前記第２の列を形成する前記第１の接触部の数より多い、基板。
【請求項２４】
複数の装置側端子を有する印刷装置に所定の挿入方向に挿入されることによって、前記複数の装置側端子に接続可能な基板であって、
記憶装置と、
前記記憶装置よりも高い電圧が印加される高電圧回路と、
複数の第１の端子と、少なくとも１つの第２の端子とを含む端子群と、
を備え、
前記複数の第１の端子は、前記記憶装置に接続されると共に、前記複数の装置側端子のうちの対応する端子と接触するべき第１の接触部をそれぞれ含み、
前記少なくとも１つの第２の端子は、前記高電圧回路に接続されると共に、前記複数の装置側端子のうちの対応する端子と接触するべき第２の接触部を含み、
前記第１の接触部および前記第２の接触部は、複数列を形成し、前記挿入方向に並ばないように互い違いに配置され、
前記第２の接触部は、前記複数列のうち挿入方向側の第１の列の端に配置される、基板。
【請求項２５】
請求項２４に記載の基板であって、
前記端子群は、２つの前記第２の端子を含み、前記第２の端子の前記第２の接触部は、前記第１の列の両端に配置されている、基板。
【請求項２６】
請求項２０ないし請求項２５のいずれかに記載の基板を備えた印刷材収容体。